(57)【特許請求の範囲】
【請求項１】
床パネル（Ａ１）が支持脚（Ａ２）を介して敷設される基礎床面（Ｂ）と、この基礎床面（Ｂ）より高く形成されたボーダー床面（Ｃ）とを備え、このボーダー床面（Ｃ）の端縁に沿って見切り材（１）を上記床パネル（Ａ１）の端縁と隣り合うように埋設したフリーアクセスフロアの見切り構造において、前記ボーダー床面（Ｃ）の端縁に沿って下地面（Ｄ）を該ボーダー床面（Ｂ）とほぼ平行に凹設し、この下地面（Ｄ）に支持材（２）の水平部（２ａ）がアンカーボルト（４）を介して上下方向へ調整自在に取り付けられ、この支持材（２）の起立部（２ｂ）に帯板状の見切り材（１）を取り付け、これら下地面（Ｄ）上の支持材（２）を充填材（Ｅ）で埋め戻したことを特徴とするフリーアクセスフロアの見切り構造。
【請求項２】
前記支持材（２）の水平部（２ａ）に調整ボルト（５）を上下方向へ調整自在に取り付け、この調整ボルト（５）の先端部（５ａ）を下地面（Ｄ）に突き当てた請求項１記載のフリーアクセスフロアの見切り構造。
【請求項３】
前記支持材（２）の起立部（２ｂ）に対し、見切り材（１）を上下方向へ調整自在に取り付けた請求項１または２記載のフリーアクセスフロアの見切り構造。
【発明の詳細な説明】
【０００１】
【発明の属する技術分野】
本発明は、床下を配線空間として使用するために敷設されるフリーアクセスフロア（二重床）と、例えば機器類などの重量物を載置するためのボーダー床面とが同じ室内に隣接して配備される際の見切り構造に関する。
詳しくは、床パネルが支持脚を介して敷設される基礎床面と、この基礎床面より高く形成されたボーダー床面とを備え、このボーダー床面の端縁に沿って見切り材を上記床パネルの端縁と隣り合うように埋設したフリーアクセスフロアの見切り構造に関する。
【０００２】
【従来の技術】
従来、この種のフリーアクセスフロアの見切り構造は、例えば図３に示す如く、先ずボーダー床面Ｃ’の端縁に沿って凹設された下地面Ｄ’に対し、差し筋１１を斜めに突出させて埋め込み、この差し筋１１の突出した先端に見切り材１２として断面Ｌ字型の山形鋼を、床パネルＡ１’のレベルに合わせて位置調整しながら溶接止めして支持し、その後、これら下地面Ｃ’上の差し筋１１及び見切り材１２の周囲にモルタルＥ’を充填して埋め戻していた。
【０００３】
【発明が解決しようとする課題】
しかし乍ら、このような従来のフリーアクセスフロアの見切り構造では、差し筋の先端と見切り材とを現場にてフリーアクセスフロアのレベルと位置調整しながら溶接止めするため、その作業が大変面倒であると共に、溶接によって見切り材にソリなどの歪み不良が発生し易いという問題がある。
更に、差し筋により見切り材を支持した不安定な状態でモルタルを充填するため、その充填時に見切り材が位置ズレする恐れがあると共に、その作業者やフリーアクセスフロアを敷設するための作業者が溶接できない場合には、別個に溶接用の作業者が必要になってコスト高になるという問題がある。
【０００４】
本発明のうち請求項１記載の発明は、見切り材を溶接することなく位置調整可能に設置することを目的としたものである。
請求項２記載の発明は、請求項１に記載の発明の目的に加えて、見切り材の調整作業を容易にすることを目的としたものである。
請求項３記載の発明は、請求項１または２に記載の発明の目的に加えて、見切り材のレベル出し作業を容易にすることを目的としたものである。
【０００５】
【課題を解決するための手段】
前述した目的を達成するために、本発明のうち請求項１記載の発明は、ボーダー床面の端縁に沿って下地面を該ボーダー床面とほぼ平行に凹設し、この下地面に支持材の水平部がアンカーボルトを介して上下方向へ調整自在に取り付けられ、この支持材の起立部に帯板状の見切り材を取り付け、これら下地面上の支持材を充填材で埋め戻したことを特徴とするものである。
請求項２記載の発明は、請求項１記載の発明の構成に、前記支持材の水平部に調整ボルトを上下方向へ調整自在に取り付け、この調整ボルトの先端部を下地面に突き当てた構成を加えたことを特徴とする。
請求項３記載の発明は、請求項１または２記載の発明の構成に、前記支持材の起立部に対し、見切り材を上下方向へ調整自在に取り付けた構成を加えたことを特徴とする。
【０００６】
【作用】
請求項１の発明は、下地面に対して支持材の水平部を上下方向へ調整することにより、その起立部及び見切り材の高さ位置が、床パネルのレベルと正確に位置合わせされるものである。
請求項２の発明は、請求項１記載の構成に対して、前記支持材の水平部に調整ボルトを上下方向へ調整自在に取り付け、この調整ボルトの先端部を下地面に突き当てた構成を追加したので、調整ボルトを回転して、支持材の水平部と下地面との間隔を調整することにより、支持材の起立部及び見切り材の高さ位置が簡単に調整される。
請求項３の発明は、請求項１または２記載の構成に対して、前記支持材の起立部に対し、見切り材を上下方向へ調整自在に取り付けた構成を追加したので、支持材の水平部をおおよその高さ調整した後に、その起立部に対して見切り材が床パネルのレベルに合わせて微調整される。
【０００７】
【発明の実施の形態】
以下、本発明の実施例を図面に基づいて説明する。
この実施例は、図１及び図２に示す如く、フリーアクセスフロアＡが敷設されるコンクリートスラブなどの基礎床面Ｂと隣接して、例えば機器類などの重量物が載置されるコンクリート製のボーダー床面Ｃを該基礎床面Ｂより高く作成する際に、その端縁に沿って下地面Ｃを該ボーダー床面Ｂとほぼ平行な凹設し、この下地面Ｃに対し、見切り材１を取り付ける支持材２が、連結板３を介してアンカーボルト４により固定されると共に、調整ボルト５によって上下方向へ調整自在に取り付けられた場合を示すものである。
【０００８】
上記見切り材１は、例えばステンレス鋼（ＳＵＳ）などの金属で帯板状に形成され、その裏面を後述する支持材２の起立部２ｂの表面に対してビス止めにより取り付けるか、或いは溶着などの従来周知な固着方法で取り付けられる。
【０００９】
本実施例の場合には、図１に示す如く、見切り材１の表面側からビス１ａの頭部が突出しないように挿通されるビス孔１ｂを、該見切り材１の長手方向へ等間隔毎に複数開穿している。
【００１０】
上記支持材２は、図２に示す如く、例えば断面Ｌ字型に成形された山形鋼（溝形鋼）などの形鋼であり、その水平部２ａには、該支持材２の長手方向へ等間隔毎に複数枚の連結板３…を図示せる如くビス止めにより取り付けるか、或いは溶着などの従来周知な固着方法で取り付けると共に、複数本の調整ボルト５…を上下方向へ進退自在に取り付け、それらの先端部５ａを夫々前記下地面Ｄに突き当てる。
【００１１】
本実施例の場合には、支持材２の水平部２ａに、ビス２ｃが挿通されるビス孔２ｄと、調整ボルト５が螺合するネジ孔２ｅを、支持材２の長手方向へ等間隔毎に複数個ずつ夫々上下方向へ開穿している。
更に、支持材２の起立部２ｂには、上記見切り材１のビス１ａが貫通する長孔２ｆを貫通し、このビス１ａの先端にナット１ｃを螺着することにより、該起立部２ｂの表面に対して上記見切り材１を上下方向へ調整自在に支持している。
【００１２】
上記連結板３は、例えば鉄などの金属で帯板状に形成され、その一端側には、上記水平部２ａのビス２ｃが貫通する長孔３ａを貫通し、このビス２ｃの先端にナット２ｇを螺着することにより、上記水平部２ａに対して該連結板３を、支持材２の長手方向及びそれと交差する横方向（短手方法）へ調整自在に支持している。
上記連結板３の他端側には、後述するアンカーボルト４が貫通する貫通孔３ｂを上下方向へ開穿する。
【００１３】
このアンカーボルト４は、本実施例の場合、前記下地面Ｃの作成後にドリルなどで空けたアンカーホールに、その下端基部４ａを押し込むか又は叩き込むことにより、回転不能に立てられたホールインアンカーであり、図２に示す如く、上記連結板３…の貫通孔３ｂ…と対向して等間隔毎に配置され、これらを上記連結板３の貫通孔３ｂに貫通させて、夫々の上端ネジ部４ｂ…にナット４ｃ…を螺着することにより、上記連結板３が上下方向へ調整自在に取り付けられる。
【００１４】
一方、前記フリーアクセスフロアＡは、矩形の床パネルＡ１が高さ調整自在な支持脚Ａ２を介して基礎床面Ｂ上に敷設される従来周知構造の二重床であり、基礎床面Ｂ上に床パネルＡ１を敷設した後に、そのレベルに合わせて該床パネルＡ１の上面と前記見切り材１の上面１ｄとが一致するように支持材２が高さ調整される。
【００１５】
そして、高さ調整中及び調整後における支持材２の高さ位置を保持するための手段として、該支持材２の水平部２ａと前記下地面Ｃとの間にスペーサー６を介装する。
本実施例の場合には、このスペーサー６として高さ寸法に相当する枚数の座板６ａ…を差し込んでおり、更に連結板３と下地面Ｃとの間には、アンカーボルト４が貫通する孔付きの座板６ｂ…を差し込んでも良い。
【００１６】
更に、調整作業が終了後は、前記下地面Ｄ上の支持材２及びその周囲に、例えばモルタルなどの充填材Ｅを充填して埋め戻す。
なお、支持材２の表面に錆止め剤を塗布すると、充填したモルタルと接着しないので、少なくとも支持材２の水平部２ａ上面及び起立部２ｂの裏面には、錆止め剤を塗布しない。
【００１７】
本実施例の場合には、図１に示す如く、この充填材Ｅの上面レベルを、床パネルＡ１の上面レベルよりタイル厚さ１枚分だけ低くして、その上に例えば帯電防止タイルなどのタイルＦを貼着することにより、このタイルＦの表面と前記見切り材１の上面１ｄと床パネルＡ１の上面とが、同一高さで一致するようにしている。
【００１８】
次に、斯かるフリーアクセスフロアの見切り構造の取り付け方法を施工手順に従って説明する。
先ず、下地面Ｃの上に、見切り材１と連結板３…が取り付けられた支持材２を載置して、横方向への仮の位置決めを行うと同時に、基礎床面Ｂ上に敷設された床パネルＡ１のレベルと合わせて位置調整を行う。
【００１９】
この段階では、下地面Ｃと支持材２の水平部２ａとの間に、スペーサー６として必要枚数の座板６ａ…，６ｂ…を差し込んで、おおよその高さ調整が行われる。
【００２０】
その後、下地面Ｃ上において連結板３…の貫通孔３ｂ…と対向する位置にアンカーボルト４…の下端基部４ａ…を押し込むか又は叩き込んで回転不能に立て、これらに貫通孔３ｂ…を挿通すれば、これら連結板３…と支持材２が横方向へ位置決めされる。
【００２１】
この際、アンカーボルト４…の埋め込み時に位置ズレが発生して、連結板３…の貫通孔３ｂ…が部分的に挿通不能となった場合には、ビス２ｃを緩めて長孔３ａ…沿いに連結板３…を調整移動すれば、アンカーボルト４…の埋め込み位置と貫通孔３ｂ…の開口位置を合わせることができる。
【００２２】
そして、支持材２のネジ孔２ｅ…に螺合した調整ボルト５…を夫々回転して、支持材２の水平部２ａと下地面Ｄとの間隔を調整する。
それにより、支持材２の起立部２ｂ及び見切り材１の高さ位置が、床パネルＡ１のレベルと正確に位置合わせされる。
【００２３】
その結果、見切り材１を溶接することなく位置調整可能に設置できる。
更に、調整ボルト５…で高さ調整すれば、支持材２の起立部２ｂ及び見切り材１の高さ位置が簡単に調整されるので、見切り材１の調整作業を容易にすることができる。
また、支持材２の起立部２ｂに見切り材１をビス止めし、水平部２ａに連結板３をビス止めしてから、溶接による見切り材の歪み不良が発生しない。
【００２４】
これらの調整作業が終了した後に、連結板３…の貫通孔３ｂ…から突出する上端ネジ部４ｂ…にナット４ｃ…を螺着すれば、下地面Ｃに対して支持材２が固定される。
【００２５】
その後、更に高さ調整を行う場合には、見切り材１のビス１ａ…を緩めて、支持材２の起立部２ｂに開穿された長孔２ｆ…に沿って調整移動すれば、その起立部２ｂに対して見切り材１が上下方向へ微調整される。
それにより、見切り材１のレベル出し作業を容易に行える。
【００２６】
最後に、下地面Ｄ上の支持材２及びその周囲に、例えばモルタルなどの充填材Ｅを充填して埋め戻し、この充填材Ｅの上面に例えば帯電防止タイルなどのタイルＦを貼着して、作業が完了する。
【００２７】
尚、前示実施例では、支持材２が、連結板３を介してアンカーボルト４により固定されると共に、調整ボルト５によって上下方向へ調整自在に取り付けられた場合を示したが、これに限定されず、図示せぬが支持材２の水平部２ａにアンカーボルト４を挿通して固定したり、調整ボルト５以外の調整手段で支持材２の水平部２ａを上下方向へ調整自在に取り付けても良い。
【００２８】
更に、アンカーボルト４として下地面Ｃの作成後にホールインアンカーを使用したが、これに限定されず、下地面Ｃの作成時にアンカーボルト４を埋め込んで回転不能に立ても良い。
また、図示例では、支持材２が断面Ｌ字型の山形鋼（溝形鋼）である場合を示したが、これに限定されず、図示せぬが山形鋼に代えてＩ形鋼やＨ形鋼又は軽量形鋼などの他の形鋼を使用しても良い。
【００２９】
【発明の効果】
以上説明したように、本発明のうち請求項１記載の発明は、下地面に対して支持材の水平部を上下方向へ調整することにより、その起立部及び見切り材の高さ位置が、床パネルのレベルと正確に位置合わせされるので、見切り材を溶接することなく位置調整可能に設置できる。
従って、現場にて見切り材を位置調整しながら溶接止めする従来のものに比べ、溶接作業がないから見切り材の施工作業が非常に簡単となると共に、溶接による見切り材の歪み不良が発生しない。
更に、位置調整後の支持材を充填材で埋め戻しても、見切り材が位置ズレする恐れがないと共に、溶接用の作業者が必要にないからコストを低減できる。
【００３０】
請求項２の発明は、請求項１の発明の効果に加えて、調整ボルトを回転して、支持材の水平部と下地面との間隔を調整することにより、支持材の起立部及び見切り材の高さ位置が簡単に調整されるので、見切り材の調整作業を容易にすることができる。
【００３１】
請求項３の発明は、請求項１または２の発明の効果に加えて、支持材の水平部をおおよその高さ調整した後に、その起立部に対して見切り材が床パネルのレベルに合わせて微調整されるので、見切り材のレベル出し作業を容易に行える。
【図面の簡単な説明】
【図１】  本発明の一実施例を示すフリーアクセスフロアの見切り構造の縦断面図である。
【図２】  要部の分解斜視図である。
【図３】  従来のフリーアクセスフロアの見切り構造の一例を示す縦断面図である。
【符号の説明】
Ａ  フリーアクセスフロア          Ａ１  床パネル
Ａ２  支持脚                      Ｂ  基礎床面
Ｃ  ボーダー床面                  Ｄ  下地面
Ｅ  充填材                        １  見切り材
２  支持材                        ２ａ  水平部
２ｂ  起立部                      ４  アンカーボルト
５  調整ボルト                    ５ａ  先端部
【図１】
0003914423.tif 000002
【図２】
0003914423.tif 000003
【図３】
0003914423.tif 000004